(57)【要約】      （修正有）【課題】  回転筒体を小型モーターで回転駆動をした後に連続回転を発生して分銅の垂直重力差を利用してエネルギーの供給を不用とする回転体の発電交換装置である。【解決手段】  本体固定台にシャフトで回転自在に軸止される発電交換装置本体は、該シャフトに設けたフレームと内周回転体と外周の回転筒体より構成され、該回転筒体には、回転方向の両側と中心部とに多数の２筒分銅体を並設する。該２筒分銅体には、永久磁石固定部とスプリング止め部を設ける。該２筒分銅体には、分銅止め部を設けた支持枠を取着する。該回転筒体の内周回転体には、外側に永久磁石とスプリングを設けた止め板を所定間隔を設けて可動自在に立設してある。また、本体固定台に発電機、発電用回転動力部及びスタート用モーターを装設したことを特徴としている。【選択図】図１
2006014571.tif 000002
【特許請求の範囲】
【請求項１】
発電交換装置本体（Ａ）は、本体固定台（１５）にシャフト（１０）によって回転自在に軸止され、該シャフト（１０）には、フレーム（１１）（１１）と内周回転体（９）との外周に回転筒体（１）を装設し、該回転筒体（１）には、回転方向の両側に可動する２筒分銅体（３）（３）…の多数を該内周回転体（９）の外周に並設すると共に、中心部にも多数の２筒分銅体（３）（３）を配設し、該２筒分銅体（３）（３）…には、永久磁石（５）の永久磁石固定部（１２）とスプリング（８）を止めるスプリング止め部（１３）を設け、且つ該２筒分銅体（３）（３）には、分銅止め部（７）を設けた支持枠（２０）を取着し、該回転筒体（１）の内部の内周回転体（９）には、永久磁石（５）とスプリング（８）を設けた止め板（６）を所定間隔を設けて装着し、該本体固定台（１５）には、発電機（１６）、発電用回転動力部（１７）及びスタート用モーター（１９）を装設したことを特徴とする回転筒体の発電交換装置。
【請求項２】
請求項１における回転筒体（１）の外周の最先端部に数個の錘部（２２）（２２）を並設したことを特徴とする請求項１の回転筒体の発電交換装置。
【発明の詳細な説明】
【技術分野】
【０００１】  本発明は、回転筒体を小型モーターの電力を使用して回転駆動を開始した後、連続回転が発生したら垂直重力差及びスプリングと磁石を利用して回転エネルギーによる発電開始後は、外部のエネルギーの供給を不用とする回転筒体の発電交換装置に関するものである。
【背景技術】
【０００２】  従来この種の電気エネルギーを得るためには、熱による発電エネルギーの交換によるもの、または、水力を利用して変換電気エネルギーを得るものか、更に光による変換エネルギーを利用するもの等が知られている。
【発明の開示】
【発明が解決しよとうする課題】
【０００３】  上記の従来の技術で述べた水力、熱力及び光力によるものでは、広い設置の場所が必要となる問題点がある。また、熱資源及び光資源では、多量の源量となるエネルギーが必要となる問題点がある。
本発明は、以上の各問題点を解決したものであって、その主たる目的とする所は、発電交換装置本体を支持する本体固定台に回転筒体を回転自在に装設して大きな設置場所を必要としないと共に、小型で美観が優れ、且つ発電エネルギーを充分に発生できる回転筒体の発電交換装置を提供するものである。
【課題を解決するための手段】
【０００４】  上記目的を達成するために、本発明は、発電交換装置本体を本体固定台に軸止し、シャフトには、フレームと内周回転体とを介して外周に回転筒体を装着する。この回転筒体の両側に２筒分銅体を内周回転体の外周に並設する。また中心部にも多数の２筒分銅体を装設する。該２筒分銅体には、永久磁石とスプリングを止める永久磁石固定部とスプリング止め部を設けてある。
更に、該２筒分銅体には、分銅止め部を設けると共に、端部に可動軸を設けた支持枠を取付けてある。また、該回転筒体の内周回転体には、永久磁石とスプリングを設けた止め板を所定間隔を設けて多数立設してある。該本体固定台には、発電機、発電用回転動力部及びスタート用モーターを装設したものである。
【発明の効果】
【０００５】  以上説明したように本発明によれば、始動時に小型のスタート用モーターによる外部電力の供給の回転による連続回転の後には、自力発電の発生と同時に自力電力の供給に切り替えるため、自分で発生した電機エネルギーの一部稼動補助電力に利用する便利な効果と、発電開始後に発生するＣＯ２は起こらないと云う効果もある。
そして、本体固定台のシャフトには、フレームと内周回転体との外周に回転筒体を装設したので、全体の構成が著しく小型化して広い場所を必要としない実利的な効果がある。該回転筒体には、回転方向の両側と中心部にも多数の２筒分銅体を装設したことにより、回転筒体を安定して回転できる効果がある。更に、２筒分銅体の内の１筒は、内径差によって垂直重力差が回転エネルギーとする効果と、他の１筒は、スプリングと永久磁石とによる２筒分銅体との反発力及び引き寄せ力に使用する役目を果す効果がある。
また、回転筒体の外周に設けた止め板には、先端の永久磁石とスプリングとが該回転筒体の回転位置によって該２筒分銅体の重力が作動して確実に着離自在となる効果がある。
更に、回転筒体の外周の先端部に設けた数個の錘部を設けたことによって、外周に遠心力及び重力を生じ回転操作を加速すると云う役割を果す効果もある。
【発明を実施するための最良の形態】
【０００６】  次に、本発明の最良の形態を説明すると、最初に小型のスタート用モーター（１９）を作動してスタート動力部（１８）を回転駆動して回転用チェーン（２）の可動により回転筒体（１）を図１に示す矢印方向に連続回転を作動させる。
次に、図５に示す２筒分銅体（３）（３）が矢印方向に回転する時に２筒分銅体（３）（３）が分銅の回転時の内径差（２５）で生ずる垂直重力差によって回転エネルギーとなって連続回転を維持できる。この中心垂直位置から矢印方向に回転すると、図１に示すように２筒分銅体（３）が重力により可動し、該２筒分銅体（３）と永久磁石（５）とスプリング（８）とが、止め板（６）に設けてある永久磁石（５）の反発力によって該止め板（６）より該２筒分銅体（３）は、左下の方に可動し、次の該止め板（６）の支持枠（２０）に設けた分銅止め部（７）によって可動を停止した状態で回転筒体（１）の下端中心部まで回転する。【０００７】  次に、回転筒体（１）が下端より矢印方向に回転すると、該２筒分銅体（３）は、重力により可動し、該分銅止め部（７）が該止め板（６）より分離し、該２筒分銅体（３）は、後方に位置する該止め板（６）の永久磁石（５）とスプリング（８）の反発力に抗して該２筒分銅体（３）の重力による可動により該２筒分銅体（３）は止め板（６）に設けたスプリング（８）と永久磁石（５）は接合状態で回転し、その状態を回転筒体（１）の最上端部まで矢印方向に回転する。最上端部より該回転筒体（１）が矢印方向に可動すると、最初の垂直重力差によって回転エネルギーとなって回転循環を繰り返して自力発電を発生するものである。【０００８】  そして、最初の回転エネルギーを動力モーターで始動し、その後連続回転エネルギーが発生した段階において、自力発電開始した後に、その電機エネルギー切り替えと同時に回転補助の役割をしていく為に、稼動中は始動モーターは、稼動補助として働くものである。
【実施例】
【０００９】  図１は、本発明の発電交換装置本体（Ａ）の正面図であって、該発電交換装置本体（Ａ）は、本体固定台（１５）に中心のシャフト（１０）によって矢印方向に回転自在に軸止されている。該シャフト（１０）には、数条のフレーム（１１）（１１）…と、該フレーム（１１）（１１）の先端に設けてある内周回転体（９）とを介した外周に回転筒体（１）を装設してある。
該回転筒体（１）には、図２に示す如く、回転方向の両側には、移動する２つの筒体状よりなる２筒分銅体（３）（３）…の多数を該内周回転体（９）の外周に並設すると共に、中心部にも多数の２筒分銅体（３）（３）を図の如く並設してある。
そして、該２筒分銅体（３）（３）…は、所定数量を使用するものである。１例としては、回転方向の両側には、該２筒分銅体（３）を各々の片側１８個を取り付け、中心部には、多数の２７個を取り付けてある。【００１０】  次に、該２筒分銅体（３）（３）には、図４（イ）（ロ）に示す如く、下方の筒体の部分に永久磁石（５）を取着する永久磁石固定部（１２）と、スプリング（８）を止めるスプリング止め部（１３）を装設してある。また、該２筒分銅体（３）（３）には、該内周回転体（９）の外周で可動する支持枠（２０）を取着してある。該支持枠（２０）には、端部に該２筒分銅体（３）（３）を可動固定する可動軸（２１）と、一方の側面に可動を停止するための分銅止め部（７）を突設してある。【００１１】  更に、図１に示す該回転筒体（１）の内部に設けてある該内周回転体（９）には、外周に永久磁石（５）とスプリング（８）を設けた止め板（６）（６）を所定間隔を設け、移動する該２筒分銅体（３）（３）との中間に立設してある。【００１２】  次に、図３に示すものは、該回転筒体（１）の内部の外周に重力と遠心力で回転加速器の役割を果す為の錘部（２２）（２２）を数段に並設してある。また、符号（２３）は翼片であって、該翼片（２３）は、初期回転駆動に使用する風力用に併用するものである。なお、砂使用、水使用と併用することも出来る。【００１３】  更に、該本体固定台（１５）には、発電機（１６）と発電用回転動力部（１７）を装設してある。また、該回転筒体（１）には、側面に回転伝達ギヤー（１４）、スタート用動力部（１８）とスタート用モーター（１９）を配設してある。符号（２４）は、発電機（１６）に連通する回転出力部を示したものである。
【図面の簡単な説明】
【００１４】
【図１】  本発明の装置本体の全体の正面図である。
【図２】  同じく本発明の一部欠除した装置本体の側面図である。
【図３】  本発明の回転筒体の内部を開示した斜面図である。
【図４】  同じく本発明の２筒分銅体部分の（イ）図は斜面図、（ロ）図は側面図である。
【図５】  本発明の２筒分銅体の連続回転の操作を示す一部欠除した側面図である。
【符号の説明】
【００１５】Ａ        発電交換装置本体
１        回転筒体
２        回転用チェーン
３        ２筒分銅体
５        永久磁石
６        止め板
７        分銅止め部
８        スプリング
９        内周回転体
１０      シャフト
１１      フレーム
１２      永久磁石固定部
１３      スプリング止め部
１４      回転伝達ギヤー
１５      本体固定台
１６      発電機
１７      発電用回転動力部
１８      スタート用動力部
１９      スタート用モーター
２０      支持枠
２１      可動軸
２２      錘部
２３      翼片
２４      回転出力部
２５      分銅の回転時の内径差
【図１】
2006014571.tif 000003
【図２】
2006014571.tif 000004
【図３】
2006014571.tif 000005
【図４】
2006014571.tif 000006
【図５】
2006014571.tif 000007